(57)【要約】      （修正有）【課題】生物体内組織の軟／硬度を検知できる生物体内組織軟／硬度感知に応用する装置を提供する。【解決手段】生物体内組織軟／硬度感知に応用する装置において、撃発機構１は外殼２、蓋体３、底蓋４、駆動アセンブリ、緩衝アセンブリ、バネ管線７、プッシュバー７１、感知アセンブリ８を備える。駆動アセンブリは撃発バネ５５、復位バネ５３を備え、２個のバネ５５、５３が備える剛性は程度が異なるため、撃発装置の往復構造を構成する。これにより撃発機構１の感知アセンブリ８は撃発後、復位バネ５３の弾力を通して、撃発バネ５５を撃発の長さまで再び圧縮できる。こうして単一駆動点により復位動作を完成し、片手で撃発の操作を行え、こうして医師の操作をシンプルにし、利便性と効率を高めることができる。【選択図】図２
0003195705.tif 000002
【実用新案登録請求の範囲】
【請求項１】
生物体内組織軟／硬度感知に応用する装置は、外殼、蓋体、底蓋、駆動アセンブリ、緩衝アセンブリ、感知アセンブリを備え、
該外殼は、中空の管体で、周囲には、外嵌垣を形成し、前記外殼内部には、内嵌垣を設置し、しかも前記外殼の管体内には、固定台を形成し、
前記蓋体は、前記外殼の外嵌垣に嵌めて設置し、開口を備え、
前記底蓋は、前記外殼に結合し、内部には、管線を形成し、しかも側辺には、連接部を形成し、前記連接部には、通孔を開設し、
前記駆動アセンブリは、プッシュ装置、プルバー、復位バネ、引き金、撃発バネを備え、
前記プッシュ装置は、中空管状を呈し、両側には、触発バーを延伸し、
前記プルバーは、前記プッシュ装置の中空管内に設置し、
前記復位バネは、前記プッシュ装置と前記固定台との間に設置し、
前記引き金は、前記プルバーに固定し、両側に、弾性サポートバーを形成し、前記弾性サポートバーにより、前記外殼の内嵌垣に接触し、
前記撃発バネは、前記外殼の固定台と前記引き金との間に設置し、しかも前記撃発バネの剛性係数は、前記復位バネの剛性係数より大きく、
前記緩衝アセンブリは、台体、緩衝バネ、バネ管線、プッシュバーを備え、
前記台体は、前記外殼末端に設置し、貫通孔を備え、
前記緩衝バネは、前記台体に嵌めて設置し、
前記バネ管線は、前記底蓋の管線内に設置し、
前記プッシュバーは、前記バネ管線内に設置し、前端を、前記引き金に固定し、
前記感知アセンブリは、前記プッシュバー末端に結合し、前キャリア台、バネ導管、後キャリア台、センサー、複数の導線、防水層を備え、
前記前キャリア台には、穿孔を開設し、複数の孔洞を設置し、
前記バネ導管内には、芯線を固定し、
前記後キャリア台には、複数の孔洞を設置し、しかも前記孔洞内には、導電銀ペーストを充填し、
前記センサーは、前記後キャリア台に結合し、
前記導線は、前記芯線に巻きつき、一端は、前記後キャリア台の孔洞を経由後、前記センサーに連接し、反対端は、前記前キャリア台の孔洞に進入後、前記穿孔から外に出て、バックエンドシステムに連結し、信号の読み取り動作を行い、
前記防水層は、前記後キャリア台と前記バネ導管の外周を包んで覆うことを特徴とする生物体内組織軟／硬度感知に応用する装置。
【請求項２】
前記外殼外周には、ハンドルカバーを嵌めて設置することを特徴とする請求項１に記載の生物体内組織軟／硬度感知に応用する装置。
【請求項３】
前記センサーと前記プッシュバーの結合位置には、粘着層を設置することを特徴とする請求項１に記載の生物体内組織軟／硬度感知に応用する装置。
【請求項４】
前記導線と前記バックエンドシステムの連接方式は、前記穿孔から外に出た導線を、前記底蓋の通孔に通し、前記連接部に溶接し、これにより、前記バックエンドシステムは、前記連接部を通して連結され、信号の読み取り動作を行うことを特徴とする請求項１に記載の生物体内組織軟／硬度感知に応用する装置。
【考案の詳細な説明】
【技術分野】
【０００１】
本考案は、感知装置に関し、内視鏡アクセサリーに応用し、感知アセンブリを備え生物体内組織の軟／硬度を検知できる生物体内組織軟／硬度感知に応用する装置に関する。
【背景技術】
【０００２】
腫瘍は一般的には、触れること或いは肉眼で観察することで発見されることが多い。
検査には、超音波或いは内視鏡等の医療機器が用いられる。
内視鏡は、撮影／光源装置を備えたチューブを生物体内に挿入し、外付けのディスプレイにより、体内器官組織表面の情報を得るもので、組織切片を採取し病理検査を行うこともできる。
しかし、内視鏡は、組織表面の情報しか提供できず、皮下組織内の腫瘍に対する観察と判断には困難が存在する。
【０００３】
通常、病変の発生に従い、組織の軟／硬度に変化が生じる。
例えば、皮下腫瘍組織は、正常組織とは異なる硬度を備えるが、検査においては、内視鏡や超音波を用いて、腫瘍情報を精確に得る必要がある。
しかし、内視鏡や超音波は高価で、しかも一般の医療機関には普及していない。
そのため、より簡易な方式で、生物体内組織の弾性を計測することができれば、皮下腫瘍があるかどうかの診断を助けることができる。
【０００４】
特許文献１は、「生体測定装置」を開示する。
該生体測定装置は、接触部を備える。
接触部は、生物体と接触できる第一接触表面を備え、生物体に圧力を加えることができる。
接触部外側には、補助部を設置する。
補助部は、生物体と接触できる第二接触表面を備える。
第二接触表面は、平面位置間で往復運動を行え、第二接触表面は、第一接触表面の位置まで収縮する。
これにより、第一接触表面と第二接触表面とは同一平面に位置する。
さらに、第一圧力センサーを設置することで、接触部と補助部に加える圧力を測定する。
該測定装置は、補助部を支えるサポート部を備え、補助部かサポート部かの何れかには、第一長槽を形成し、第二接触表面の往復運動方向へと延伸する。
続いて、補助部かサポート部かの何れかに第二長槽を形成し、第一長槽の垂直の往復運動方向へと延伸する。
しかも、他の補助部及びサポート部には、突出部を形成する。
突出部は、第一長槽或いは第二長槽に設置する。
こうして、固定機構を通して、補助部を固定し、第二接触表面は、収縮位置を保持する。
これにより、筋肉組織の硬度と疼痛感を、単一設備で測定可能となる。
【０００５】
特許文献２は、「材料の一致性或いは硬度測定に用いる装置」を開示する。
該装置は、円筒形ケースを備える。
ケース内には、予定の伸張を行うバネを設置し、ボルトを用いてその圧縮状態を調整することができる。
バネは、ピストンを押して材料へとスライドさせる。
ピストン末端には、プローブを固定する。
ピストンの円筒形ケースにおける移動記録は、従来の移動センサーにより連続出力電圧を提供する。
これにより、タッチヘッドは、基本位置から正比例の移動を行い、ケースはボルトにより停止され、ピストンの行程距離を制限する。
こうして、上述の基準位置を限定することができる。
該装置は、可変圧力を備える材料のテストに用いられ、弾性材料（皮膚など）の硬度測定結果を完璧に再現することができる。
【０００６】
特許文献３は、「周波数偏差検査回路及び該周波数偏差検査回路を使用する測定装置」を開示する。
該装置は、機械振動を発生するオシレーター、及び該振動情報を検査する検査器を備える。
さらに、フィードバック回路を備え、振動情報に基づくフィードバック信号を、オシレーターにフィードバックする。
これにより、オシレーターは、第一共振状態に向う。
しかも、該オシレーターは、第一オシレーターの中心周波数を備え、ゲイン変化の補償回路は、該フィードバック回路に設置される。
ゲイン変化中心周波数とゲイン増加に適し、偏差に反応するオシレーター振動周波数とは、異なる。
周波数に変化が生じると、該オシレーターは、第一レゾナント状態から第二レゾナント状態へと移動する。
該オシレーターは、第二振動中心周波数を備え、該装置により、第一及び第二オシレーター中心周波数間の偏差を測定し、硬度測定装置に応用し、生物組織（皮膚或いは内臓）の軟／硬度を精確に検査することができる。
【０００７】
特許文献４に開示する「生物体内組織を感知する装置とその方法」は、本考案人が申請しているセンサー関連の考案である。
それは、組織パラメーターを感知する感知部品、及び感知部品を制御するコントロールメディア、分析メディアを備え、分析メディアにより、該パラメーターが示す意味を分析する。
感知部品により非測定物体に接近し、同時に感知部品上下両端に外力を加える。
これにより、軟組織と感知部品との間に接触力が生じ、形状の変化が生じ、形状変化量によりその電圧値を読み取る。
こうして、電圧値比率或いは反映される応力比率により、非測定組織と硬度に関連する材料性質を推測することができる。
しかし、上述の前案は、センサーに関するものである。
力の制御は、センサーにとっては非常に重要であるため、センサーの運用においては、適当な撃発装置を設置しなければ、センサーを撃発し、被測定物に接触させ、測定数値を得て、測定動作を続けることはできない。  
【先行技術文献】
【特許文献】
【０００８】
【特許文献１】米国特許第８，３２８，７３０号
【特許文献２】米国特許第４，１５９，６４０号
【特許文献３】米国特許第５，７６６，１３７号
【特許文献４】米国特許第１３／１１６，０９２号
【考案の概要】
【考案が解決しようとする課題】
【０００９】
しかし、上述した考案には使用上欠点があり、改善する必要がある。その原因は下記の通りである。
【００１０】
従来の内視鏡は組織表面の情報しか提供できず、また特許文献の多くは組織の軟／硬度を測定するセンサーに過ぎず、センサーに撃発機構を組み合わせた全体的な改良は見られないが、センサーと撃発機構の組合せに欠陥があれば、測定データと診断結果に影響を及ぼしてしまう。
【００１１】
本考案は、上述の問題に鑑みてなされたものであり、その第一の目的は、剛性の程度が異なる２個のバネを利用し撃発機構の往復構造を構成し、撃発機構の感知アセンブリを撃発後、単一駆動点で復位動作を完成でき、片手で操作を完成でき、操作をシンプルにし、効率を向上させることができる生物体内組織軟／硬度感知に応用する装置を提供することにある。
【００１２】
本考案は、上述の問題に鑑みてなされたものであり、その第二の目的は、感知アセンブリの導線を芯線に巻きつけて固定することで、センサー振動時に発生するノイズを低下させ、測定とデータ読み取りをさらに精確にできる生物体内組織軟／硬度感知に応用する装置を提供することにある。
【課題を解決するための手段】
【００１３】
本考案による生物体内組織軟／硬度感知に応用する装置において、撃発機構は、外殼、蓋体、底蓋、駆動アセンブリ、緩衝アセンブリ、バネ管線、プッシュバー、感知アセンブリを備える。
外殼は、中空管体で、周囲には、外嵌垣を形成し、内部には、内嵌垣を設置し、しかも外殼の管体内には、固定台を形成する。
蓋体は、外殼の外嵌垣に嵌めて設置し、開口を備える。
底蓋は、外殼に結合し、内部には、管線を形成し、しかも側辺には、連接部を形成し、連接部には、通孔を開設する。
駆動アセンブリは、プッシュ装置、プルバー、復位バネ、引き金、撃発バネを備える。
プッシュ装置は、中空管状を呈し、両側には、触発バーを延伸する。
プルバーは、プッシュ装置の中空管内に設置する。
復位バネは、プッシュ装置と外殼の固定台との間に設置する。
引き金は、プルバーに固定し、両側に、弾性サポートバーを形成し、弾性サポートバーを利用して、外殼の内嵌垣に接触させる。
撃発バネは、外殼の固定台と引き金との間に設置する。
緩衝アセンブリは、台体、緩衝バネ、バネ管線、プッシュバーを備える。
台体は、外殼末端に設置し、貫通孔を備える。
緩衝バネは、台体に嵌めて設置する。
バネ管線は、底蓋の管線内に設置する。
プッシュバーは、バネ管線内に通し、前端は、引き金に固定される。
感知アセンブリは、プッシュバー末端に結合し、前キャリア台、バネ導管、後キャリア台、センサー、複数の導線、防水層を備える。
前キャリア台には、通孔を開設し、複数の孔洞を設置する。
バネ導管内には、芯線を固定する。
後キャリア台には、複数の孔洞を設置し、孔洞内には、導電銀ペーストを充填する。
センサーは、後キャリア台に結合する。
複数の導線は、芯線に巻きつき、一端は、後キャリア台の孔洞を経由し、後センサーに連接し、反対端は、前キャリア台の孔洞を貫通後、穿孔から外に出て、バックエンドシステムに連結し、信号の読み取り動作を行う。
防水層は、後キャリア台とバネ導管の外周を覆う。
【００１４】
プッシュ装置を下方へと押すことで、プッシュ装置は復位バネを圧縮し、同時に、プッシュ装置の触発バーは、内側へと引き金の弾性サポートバーを押す。
これにより、引き金とプルバーとは落下し、撃発バネの圧縮状態を解除する。
しかも、引き金は落下すると同時に、プッシュバーを連動し、プッシュバーは押し出される。
この時、プッシュバー末端に結合する感知アセンブリを利用して、被測定組織に接触する。
引き金は台体まで落下すると、台体上の緩衝バネを通して、下へと引く力を緩衝する。
感知アセンブリが信号を感知し、バックエンドシステムへと伝送すると、プッシュ装置をリリースする。
これにより、復位バネは圧縮状態が解除され、プッシュ装置を押して復位させ、プルバーにより引き金を引き戻し、引き金の弾性サポートバーは外殼の内嵌垣に接触する。
こうして、撃発バネは圧縮状態を呈し、同時に、プッシュバーは自動的に引き延ばされ復位し、次の測定動作に備える。
【００１５】
本考案は、剛性の程度が異なる２個のバネを利用し撃発機構の往復構造を構成し、撃発機構の感知アセンブリを撃発後、単一駆動点で復位動作を完成でき、片手で操作を完成でき、操作をシンプルにし、効率を向上させることができ、さらに感知アセンブリの導線を芯線に巻きつけて固定することで、センサー振動時に発生するノイズを低下させ、測定とデータ読み取りをさらに精確とすることができる。
【図面の簡単な説明】
【００１６】
【図１】本考案の一実施形態による立体分解図である。
【図２】本考案の一実施形態による断面図である。
【図３】本考案の一実施形態による感知アセンブリの断面図である。
【図４】本考案の一実施形態による感知アセンブリを連接する様子の模式図である。
【図５】本考案の一実施形態による立体図である。
【図６】本考案の一実施形態によるプッシュ装置を下方へと押す様子の模式図である。
【図７】本考案の一実施形態によるプッシュバーを押し出す様子の模式図である。
【図８】本考案の一実施形態による測定の様子の模式図である。
【図９】本考案の一実施形態による感知アセンブリの測定の様子の模式図である。
【図１０】本考案の一実施形態によるプッシュ装置を引き戻す様子の模式図である。
【図１１】本考案の一実施形態による復位を完成した状態の模式図である。
【考案を実施するための形態】
【００１７】
（一実施形態）
本考案の一実施形態による生物体内組織軟／硬度感知に応用する装置を図面に基づいて説明する。
図１、２に示すように、生物体内組織軟／硬度感知に応用する装置は、撃発機構を備える。
【００１８】
撃発機構１は、外殼２、蓋体３、底蓋４、駆動アセンブリ５、緩衝アセンブリ６、バネ管線７、プッシュバー７１、感知アセンブリ８を備える。
【００１９】
外殼２は、中空の管体で、しかも周囲には、外嵌垣２１を形成し、内部には、内嵌垣２２を設置する。
外殼２の管体内には、固定台２３を形成する。
【００２０】
蓋体３は、外殼２の外嵌垣２１に嵌めて設置し、開口３１を備える。
【００２１】
底蓋４は、外殼２に対応する凹槽４１を備え、外殼２に結合することができ、内部には、管線４２を形成する。
しかも、底蓋４側辺には、連接部４３を形成し、連接部４３には、通孔４３１を開設する。
【００２２】
駆動アセンブリ５は、プッシュ装置５１、プルバー５２、復位バネ５３、引き金５４、撃発バネ５５を備える。
プッシュ装置５１は、中空管状を呈し、蓋体３の開口３１に通して設置する。
しかも、プッシュ装置５１両側には、触発バー５１１をそれぞれ延伸し、中央には、凸垣５１２を形成する。
プルバー５２前端には、凸ブロック５２１を備え、プッシュ装置５１の中空管内に嵌合する。
復位バネ５３は、プッシュ装置５１の凸垣５１２と外殼２の固定台２３との間に嵌合する。
引き金５４は、凹槽を備え、プルバー５２末端に嵌めて固定することができ、両側には、弾性サポートバー５４１をそれぞれ形成する。
これにより、引き金５４は、弾性サポートバー５４１により、外殼２の内嵌垣２２において接触でき、撃発バネ５５は、外殼２の固定台２３と引き金５４との間に設置する。
【００２３】
緩衝アセンブリ６は、台体６１、緩衝バネ６２を備える。
台体６１は、外殼２の中空管体末端に設置し、貫通孔６１１を備える。
しかも、台体６１上方には、凸ブロック６１２を形成し、これに緩衝バネ６２を嵌めて固定することができる。
【００２４】
バネ管線７は、底蓋４の管線４２内に設置する。
プッシュバー７１は、バネ管線７内に設置され、前端は、引き金５４に固定される。
【００２５】
本考案感知アセンブリの断面図である図３に示すように、感知アセンブリ８は、プッシュバー７１末端に結合し、前キャリア台８１、バネ導管８２、後キャリア台８３、センサー８４、複数の導線８５、防水層８６を備える。
【００２６】
前キャリア台８１は、穿孔８１１を備え、複数の孔洞８１２を備える。
バネ導管８２は管内に、芯線８２１を固定する。
後キャリア台８３には、複数の孔洞８３１を設置し、しかも孔洞８３１内には、導電銀ペースト８３２を充填する。
センサー８４は、後キャリア台８３に結合する。
導線８５は、バネ導管８２の芯線８２１に巻きつけて固定する。
これにより、導線８５の一端は、後キャリア台８３の孔洞８３１を経由後、センサー８４に連接し、反対端は、前キャリア台８１の孔洞８１２を貫通後、穿孔８１１から外に出て、バックエンドシステムに連結し、信号の読み取り動作を行う。
防水層８６は、後キャリア台８３とバネ管線８２の外周を包んで覆う。
【００２７】
図１〜３に示すように、組み立て時には、外殼２を、底蓋４の凹槽４１内に設置し、外殼２末端に、台体６１を設置する。
台体６１上方には、緩衝バネ６２を嵌めて設置する。
引き金５４には、プッシュバー７１を固定する。
本考案の一実施形態では、引き金５４末端には、ナット５７を固定し、これによりプッシュバー７１は、引き金５４に確実に固定され、引き金５４と外殼２の固定台２３とのには、撃発バネ５５を嵌めて設置する。
【００２８】
続いて、プッシュ装置５１には、外殼２前端を設置し、プッシュ装置５１の凸垣５１２と外殼２の固定台２３との間には、復位バネ５３を嵌めて設置する。
本考案の一実施形態では、プッシュ装置５１の中空管内には、プラグ５６を嵌めて設置し、しかも外殼２外周には別に、ハンドルカバー２４を嵌め、握って操作する際の快適性を実現することができる。
さらに、蓋体３は、開口３１により、プッシュ装置５１に嵌めて設置され、外殼２とハンドルカバー２４との間に嵌合される。
【００２９】
感知アセンブリ８の導線８５は、バネ導管８２内の芯線８２１に巻きつけて固定し、これにより導線８５一端は、後キャリア台８３の孔洞８３１を通る。
本考案の一実施形態では、導線８５は、溶接方式で、センサー８４に連接され、後キャリア台８３とセンサー８４の溶接位置には、粘着層８７を設置する。
これにより、その結合位置には、平坦表面を備え、導線８５の反対端は、前キャリア台８１の孔洞８１２を通過後、穿孔８１１より外に出る（図４参照）。
続いて、底蓋４の通孔４３１に入り、連接部４３に溶接して固定され、バックエンドシステムは、連接部４３を通して連結され、信号の読み取り動作を行い、撃発機構１を構成する（図５参照）。
【００３０】
図６は、本考案プッシュ装置を押す様子を示す模式図である。
撃発機構１の未使用時には、復位バネ５３は、未圧縮状態を呈し、撃発バネ５５は圧縮状態を呈する。
プッシュ装置５１を下方へと押すと、両側の触発バー５１１は、一定の距離を進んだ後、内へと引き金５４の両側の弾性サポートバー５４１を押し、復位バネ５３を圧縮させる。
これにより、もともとは内嵌垣２２に接触していた弾性サポートバー５４１は、圧迫されて内部へと収縮し、下方へと落下する。
これと同時に、撃発バネ５５の圧縮状態を解消する（図７参照）。
【００３１】
引き金５４は、撃発バネ５５の弾力を受け、台体６１を撃発し、台体６１上の緩衝バネ６２を利用して、下へと引く力を緩衝する。
しかも、撃発と同時に、プルバー５２及びプッシュバー７１を連動させる。
こうして、プッシュバー７１はバネ管線７を押し（図８参照）、プッシュバー７１前端の感知アセンブリ８に結合させる。
これにより、センサー８４は、スリーブ９から外に出て、被測定組織に接触する（図９参照）。
感知アセンブリ８の導線８５は、芯線８２１に巻きつき固定されるため、センサー８４が振動により生じるノイズを低下させることができる。
さらに、連接部４３（図示なし）を利用し、バックエンドシステムに連結し、センサー８４のフィードバック信号を読み取る。
もし、測定された生物体組織に、皮下腫瘍があれば、組織の硬度には異常な数値が現われる。
これを、医師に提供し、診断と判別の依拠とする。
【００３２】
本考案のプッシュ装置を引き戻す様子の模式図である図１０に示すように、感知アセンブリ８が信号を感知し、バックエンドシステムに伝送すると、使用者は、プッシュ装置５１を押す動作を停止する。
これにより、復位バネ５３は、圧縮状態が解除され、プッシュ装置５１を押して復位させ、さらにプルバー５２を連動し、その流れで引き金５４を引き戻す。
これにより、引き金５４の弾性サポートバー５４１は、外殼２の内嵌垣２２に接触し（図１１参照）、撃発バネ５５は圧縮状態を回復する。
同時に、プッシュバー７１は、引き金５４に従い自動的に引き延ばされ復位し、次の測定動作に備える。
【００３３】
本考案の撃発機構１は、異なる程度の剛性を備える２個のバネを通して、その往復構造を構成する。
しかも、撃発バネ５５の剛性係数は、復位バネ５３の剛性係数より大きい。
フックの法則により、必要な撃発力量を計算し、撃発機構１の感知アセンブリ８を撃発後、復位バネ５３の弾力を通して、撃発バネ５５を撃発の長さまで再び圧縮する。
これにより、単一駆動点により、復位動作を完成し、片手で撃発の操作を行える。こうして医師の操作をシンプルにし、利便性と効率を高めることができる。
【００３４】
上述の実施形態の説明を総合すると、本考案の操作、使用、及びび本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び明細書の内容に基づく、同等の効果を有する簡単な変化及び修飾は、全て、本考案の範囲内に属するものとする。
【符号の説明】
【００３５】
１      撃発機構
２      外殼
２１    外嵌垣
２２    内嵌垣
２３    固定台
２４    ハンドルカバー
３      蓋体
３１    開口
４      底蓋
４１    凹槽
４２    管線
４３    連接部
４３１  通孔
５      駆動アセンブリ
５１    プッシュ装置
５１１  触発バー
５１２  凸垣
５２    プルバー
５２１  凸ブロック
５３    復位バネ
５４    引き金
５４１  弾性サポートバー
５５    撃発バネ
５６    プラグ
５７    ナット
６      緩衝アセンブリ
６１    台体
６１１  貫通孔
６１２  凸ブロック
６２    緩衝バネ
７      バネ管線
７１    プッシュバー
８      感知アセンブリ
８１    前キャリア台
８１１  穿孔
８１２  孔洞
８２    バネ導管
８２１  芯線
８３    後キャリア台
８３１  孔洞
８３２  導電銀ペースト
８４    センサー
８５    導線
８６    防水層
８７    粘着層
９      スリーブ  
【図１】
0003195705.tif 000003
【図２】
0003195705.tif 000004
【図３】
0003195705.tif 000005
【図４】
0003195705.tif 000006
【図５】
0003195705.tif 000007
【図６】
0003195705.tif 000008
【図７】
0003195705.tif 000009
【図８】
0003195705.tif 000010
【図９】
0003195705.tif 000011
【図１０】
0003195705.tif 000012
【図１１】
0003195705.tif 000013